(57)【要約】【課題】優れた防刃性に加えて撥水性・耐候性・耐水性を備え、且つ着用時に手指の動きを阻害せずに、自由な動きが可能となる防刃用指先保護具を提供する。【解決手段】手の甲側にあてがう甲側カバー部４と、該甲側カバー部４に連設し、人差し指・中指・薬指の３本の手指を挿入する３つの指先挿入部２とから成る保護具本体１を備え、各指先挿入部２の少なくとも手の甲側に面する部分を、高強度ポリエチレン繊維から成る防刃編成体３によって形成する。また、防刃編成体３は、互いに合致したガラス繊維５とスペクトラ繊維６とを、スペクトラガード糸７とポリエステル糸８とによって撚り込むことで製作した糸を面状に編成して成るものとする。あるいは、アラミド繊維を含んでなるものとする。【選択図】図１
2009280933.tif 000002
【特許請求の範囲】
【請求項１】
手の甲側にあてがわれる甲側カバー部と、該甲側カバー部に連設され、人差し指・中指・薬指の３本の手指を挿入させる３つの指先挿入部とから成る保護具本体を備え、各指先挿入部の少なくとも手の甲側に面する部分が、高強度ポリエチレン繊維から成る防刃編成体によって形成されて成ることを特徴とする防刃用指先保護具。
【請求項２】
防刃編成体は、互いに合致させたガラス繊維とスペクトラ繊維とを、スペクトラガード糸とポリエステル糸とによって撚り込むことで製作された糸を面状に編成して成る請求項１記載の防刃用指先保護具。
【請求項３】
防刃編成体は、アラミド繊維を含んで編成して成る請求項１記載の防刃用指先保護具。
【発明の詳細な説明】
【技術分野】
【０００１】
本発明は、例えば料理・調理のとき等で野菜等の食材を包丁もしくは野菜スライサー等の切断器具を使ってカットする際に、手指を刃から守るため、あるいは他用途として手を保護するため等の所謂プロテクターとして使用するに好適な優れた防刃性を備えた防刃用指先保護具に関する。
【背景技術】
【０００２】
従来、防刃手袋として例えば特許文献１乃至特許文献３に開示されているように、鎖状の金属を縫着したものや、金属繊維を撚り込んだ糸を編んだもの等が知られている。
【特許文献１】特開平８−２９１４０５号公報
【特許文献２】特開２００１−８１６１４号公報
【特許文献３】特開平１０−１２１３１０号公報
【発明の開示】
【発明が解決しようとする課題】
【０００３】
しかしながら、従来においては、優れた防刃性を実現するために、強固かつ頑丈な金属繊維の糸条を用いて、手全体を覆う手袋状となって構成されていることから、着用者の自由な手指の動きが制限され、しかも手指で物を繊細に握るという点においても不自由な面がある。
【０００４】
また、このような金属繊維の糸条を用いた防刃手袋では、例えば野菜等の食材の包丁もしくは野菜スライサー等の切断器具を使ってのカット時において、当該金属繊維が湿気に晒されるため、例えば錆等による腐食や経年劣化等が避けられないものとなるという問題点を有していた。
【０００５】
そこで、本発明は叙上のような従来存した諸事情に鑑み創出されたもので、優れた防刃性に加えて撥水性・耐候性・耐水性を備え、且つ着用時に手指の自由な動きが可能となるものとした防刃用指先保護具を提供することを目的とする。
【課題を解決するための手段】
【０００６】
上述した課題を解決するため、本発明にあっては、手の甲側にあてがわれる甲側カバー部４と、該甲側カバー部４に連設され、人差し指・中指・薬指の３本の手指を挿入させる３つの指先挿入部２とから成る保護具本体１を備え、各指先挿入部２の少なくとも手の甲側に面する部分が、高強度ポリエチレン繊維から成る防刃編成体３によって形成されて成るものである。
また、防刃編成体３は、互いに合致させたガラス繊維５とスペクトラ繊維６とを、スペクトラガード糸７とポリエステル糸８とによって撚り込むことで製作された糸を面状に編成して成るものとすることができる。
あるいは、防刃編成体３は、アラミド繊維を含んで編成して成るものとすることができる。
【０００７】
以上のように構成された本発明に係る防刃用指先保護具にあって、３本の指先挿入部２を甲側カバー部４に連設して成る保護具本体１は、人差し指・中指・薬指の３本の指部分を当該指先挿入部２に装着されることから、着用時の５本の手指の自由な動きを可能にさせる。
また、指先挿入部２における手の甲側に面する部分に形成されている高強度ポリエチレン繊維から成る、あるいはアラミド繊維から成る防刃編成体３は、保護具本体１を着用しての切断器具１１を使った料理時に、刃による手指の甲側への刃の貫通を阻止させる。
【発明の効果】
【０００８】
本発明によれば、優れた防刃性に加えて撥水性・耐候性・耐水性を備え、且つ着用時に手指の自由な動きを阻害せずにその細かな動きを可能とさせる。
【０００９】
すなわち、これは本発明が、手の甲側にあてがわれる甲側カバー部４と、該甲側カバー部４に連設され、人差し指・中指・薬指の３本の手指を挿入させる３つの指先挿入部２とから成る保護具本体１を備え、各指先挿入部２の少なくとも手の甲側に面する部分が、高強度ポリエチレン繊維から成る防刃編成体３によって形成されて成るからであり、これにより、着用時の５本の手指の自由な動きが可能となる。それと同時に、防刃編成体３によって例えば野菜等の食材９を包丁もしくは野菜スライサー等の切断器具１１でカットする際に、食材９の上側を押さえ込むようにして使用する人差し指・中指・薬指の３本の手指を包丁、野菜スライサー等の刃から守ることができる。
【００１０】
また、防刃編成体３は、互いに合致させたガラス繊維５とスペクトラ繊維６とを、スペクトラガード糸７とポリエステル糸８とによって撚り込むことで製作された糸を面状に編成して成り、あるいはアラミド繊維を含んで編成して成るので、人差し指・中指・薬指の３本の指先挿入部２に対し優れた防刃性と同時に軽量で且つ高強度となる防刃編成体３を容易に形成することができる。
【００１１】
しかも、例えば野菜等の食材９の包丁もしくは野菜スライサー等の切断器具１１を使ってのカット時において、当該保護具本体１が水分を含む食材９によって湿気に晒されていても、高強度ポリエチレン繊維による防刃編成体３が撥水性・耐候性・耐水性を備えていることから、例えば錆等による腐食や経年劣化等が発生せず、長期間にわたる水場での使用が可能となる。
【００１２】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１３】
以下、図面を参照して本発明を実施するための最良の一形態を説明する。図において示される符号１は、例えば人差し指・中指・薬指等の３本の指先挿入部２を、手の甲部分を覆う甲側カバー部４の一端側に連設して成る保護具本体である。
【００１４】
この保護具本体１は、図１および図２に示すように、手の甲側に当てられる甲側カバー部４、指先挿入部２の手の平側に面した部分の略全体が撥水性・耐候性・耐水性に加えて抗菌性・柔軟性を備えた合成樹脂製もしくは合成皮革製等の素材、例えばウレタン等の発泡体、ポリエステル系やポリオレフィン系の熱可塑性エラストマー、熱可塑性樹脂のモノフィラメントを立体的な網状体に構成した弾性体等からなるクッション性のあるシート状物を積層して形成されている。
【００１５】
そして、人差し指・中指・薬指の３本の指先挿入部２における手の甲側に面した部分および指先部分が少なくとも、ポリエチレンポリマーの分子構造中にダイヤモンド型炭素分子結合を含む高強度ポリエチレン繊維から成る防刃編成体３によって形成されている。
【００１６】
すなわち、この防刃編成体３は、優れた防刃性と、撥水性・耐候性・耐水性・抗菌性・柔軟性とに加えて、紫外線や化学薬品に対しても強い抵抗力を有する所謂スペクトラ繊維６と称する高強度ポリエチレン繊維なる軽量な素材を使用している。因みに、スペクトラ繊維６は、鉄の８〜１０倍、アラミド繊維の１．４倍以上の強度を有し、比重も水を１とした場合に約０．９７と非常に軽い。また、海水・油圧由・ケロシン・灯油・ガソリン・トルエン・氷酢剤・塩酸・漂白剤等に強く、しかも菌がコットンやアラミドに比べて繁殖しずらい性質がある。また、低い吸湿性を有することにより、汗や臭いを吸収せず、繊維自体には臭いが残り難く、さらに耐屈曲疲労・耐摩耗性にも優れている。
【００１７】
この防刃編成体３は、ゲル・スピン・プロセスという独自の製法を利用してポリエチレンを高強度繊維に加工形成して成るものであり、例えば図１における円内の拡大された部分で示したように、ガラス繊維５とスペクトラ繊維６とを互いに合致させ、これらをスペクトラガード糸７とポリエステル糸８とによって撚り込むことで１本の糸を製作し、この糸を面状に編成したものである。特に、スペクトラ繊維６は、ゲル紡糸した超高分子量ポリエレンを繊維化して成る東洋紡績社製の「ダイニーマ」（商品名）という名称で日本国内で周知のものとなっている。
【００１８】
また、ガラス繊維５には電気用のＥガラス、耐食用のＣガラス、Ｓガラス、高強度・高弾性率のＴガラス等があるが、Ｅガラスが機械的特性とコストのバランスに優れており好適に使用することができる。
【００１９】
あるいは、この防刃編成体３は、アラミド繊維を主体として適宣に編成して成るものとでき、例えば前記のスペクトラ繊維６に代えてガラス繊維５と共に撚り込み形成する。
【００２０】
尚、保護具本体１における甲側カバー部４、指先挿入部２の腹部分は、柔軟性、更には望ましくは伸縮性ある生地部材によって形成されていて、防刃編成体３と一体状となるように連続されて縫製されている。これらの生地素材は、その柔軟性更には伸縮性によって手指に嵌めたときにしっくりと密着し、手指それぞれの動きを阻害しないようにしている。また、抗菌性ある素材、更には甲側カバー部４、指先挿入部２を含めて抗菌処理を施すことで、その衛生的な使用、管理を可能にする。
【００２１】
保護具本体１を使用するに際し、図２に示すように、甲側カバー部４で手の甲部分を覆うようにして、左手の人差し指・中指・薬指の３本の手指を指先挿入部２に挿入する。
【００２２】
そして、図３に示すように、まな板１０の上に置かれている食材９の上面を、保護具本体１を着用した左手の人差し指・中指・薬指の３本の手指で押さえながら、右手で持った包丁等の切断器具１１で切る。
【００２３】
このとき、保護具本体１の指先挿入部２における手の甲側に面する部分に防刃編成体３が形成されていることから、包丁等の切断器具１１の刃による左手の３本の手指の切断が防止される。
【００２４】
また、保護具本体１の他の形態例として、例えば人差し指・中指・薬指の内のいずれか２つの手指を装着する一対の挿入袋部２を甲側カバー部４に連設して成る保護具本体１を備え、当該指先挿入部２それぞれの手の甲側に面した部分のみが高強度ポリエチレン繊維による防刃編成体３によって形成されていても良い。
【００２５】
尚、上記した防刃編成体３は、厚手の保護具本体１の指先挿入部２を形成する撥水性・耐候性・耐水性を備えた合成樹脂製もしくは合成皮革製等の素材による生地中に内包状となって縫製されていても良い。さらに、指先挿入部２の先端側周囲全体が高強度ポリエチレン繊維による防刃編成体３によって形成されていても良い。
【図面の簡単な説明】
【００２６】
【図１】本発明を実施するための最良の形態における保護具本体の斜視図である。
【図２】同じく指先を挿入した状態の保護具本体の縦断面図である。
【図３】同じくの使用状態を示す斜視図である。
【符号の説明】
【００２７】
１…保護具本体                          ２…指先挿入部
３…防刃編成体                          ４…甲側カバー部
５…ガラス繊維                          ６…スペクトラ繊維
７…スペクトラガード糸                  ８…ポリエステル糸
９…食材                                １０…まな板
１１…切断器具
【図１】
2009280933.tif 000003
【図２】
2009280933.tif 000004
【図３】
2009280933.tif 000005